(57)【要約】      （修正有）【課題】振動を発生する身体運動機に関して、アタッチメントにより付加機能を具備することができる身体運動機を提供する。【解決手段】設置体と、該設置体の上側に配置された床部材を含む振動体と、該振動体に上下向き振動と横向き振動のうち少なくとも一方の振動を行わせる駆動機構を備え、床部材に搭乗したユーザの身体に振動運動を与えるように構成して成る身体運動機において、前記床部材の上側に着脱自在に装着される乗馬アタッチメント１４が提供され、振動体４に装着された乗馬アタッチメント１４を振動させることにより、該アタッチメントのサドル１６に搭乗したユーザの全身に乗馬運動を与えるように構成されている。【選択図】図５
2020141889.tif 000002
【特許請求の範囲】
【請求項１】
設置体(3)と、該設置体の上側に配置された床部材(2a)を含む振動体(4)と、該振動体に上下向き振動と横向き振動のうち少なくとも一方の振動を行わせる駆動機構(5,6)を備え、床部材に搭乗したユーザの身体に振動運動を与えるように構成して成る身体運動機において、
前記床部材(2a)の上側に着脱自在に装着される乗馬アタッチメント(14)が提供され、
前記乗馬アタッチメントは、支持フレーム(15)と、該支持フレームに設けられたサドル(16)と、前記支持フレームと前記振動体の相互に設けられた着脱機構(17)により構成されており、
前記振動体(4)に装着された乗馬アタッチメント(14)を振動させることにより、前記サドル(16)に搭乗したユーザの全身に乗馬運動を与えるように構成されて成ることを特徴とする身体運動機。
【請求項２】
前記横向き振動方向(Y)を前後方向として、床部材(2a)の前後方向中央よりも後方寄り位置にサドル(16)が配置されており、該サドルに対してユーザが前向き姿勢で搭乗するように構成されて成ることを特徴とする請求項１に記載の身体運動機。
【請求項３】
前記支持フレーム(15)には、床部材(2a)の前後方向中央よりも前方寄り位置にユーザの手指により握持するグリップ(18)が設けられて成ることを特徴とする請求項２に記載の身体運動機。
【請求項４】
前記着脱機構(17)は、前記振動体(4)に固設した連結手段(23)に対して、床部材(2a)に形成した開口部(25)を介して前記支持フレーム(15)の脚部(19b)に設けた装着手段(24)を着脱自在に固着するように構成され、
前記乗馬アタッチメント(14)を床部材(2a)から取外したとき、前記開口部(25)を閉鎖するカバー部材(29)が設けられており、該カバー部材に設けた固着手段(31)を前記連結手段(23)に着脱自在に固着するように構成されて成ることを特徴とする請求項１、２又は３に記載の身体運動機。
【請求項５】
前記支持フレーム(15)は、振動体の振動をサドルに伝達する伝達経路において、弾性変形することにより振幅を増幅させる増幅手段(32)を設けて成ることを特徴とする請求項１、２、３又は４に記載の身体運動機。
【発明の詳細な説明】
【技術分野】
【０００１】
本発明は、振動を発生する身体運動機に係り、アタッチメントにより付加機能を具備することができる身体運動機に関する。
【背景技術】
【０００２】
従来、設置体と、該設置体の上側に配置された床部材を含む振動体と、該振動体に上下向き振動と横向き振動を行わせる駆動機構を備え、床部材に搭乗したユーザの身体に振動を与える美容用ないし健康用の振動式身体運動機が提案されている。
【０００３】
前記振動体は、前記設置体に対して、該設置体に立設した一対の支持リンクロッドを振動体の中央部の幅方向に配設した軸部材に連結することにより、該軸部材を中心として上下方向に往復動可能に、かつ、前記支持リンクロッドの揺動を介して横方向に往復動可能となるように支持されている。前記駆動機構は、第１モータを第１偏心軸とリンクロッドを介して振動体の前部に連結し、これにより振動体を上下向きに振動させるように構成される共に、第２モータを第２偏心軸とリンクロッドを介して前記軸部材に連結し、これにより振動部材を横向きに振動させるように構成されている。
【先行技術文献】
【特許文献】
【０００４】
【特許文献１】実用新案登録第３１４９０９２号公報
【発明の概要】
【発明が解決しようとする課題】
【０００５】
上記の従来技術は、第２モータを停止した状態で第１モータを駆動することにより振動体を上下向きに振動させる第１モードが選択され、反対に、第１モータを停止した状態で第２モータを駆動することにより振動体を横向き振動させる第２モードが選択され、更に、第１モータと第２モータを同時に駆動することにより振動部材を上下向き振動と横向き振動の両方を複合させた第３モードが選択され、これにより、多様性のある美容効果や、健康効果が得られると説明されている。
【０００６】
しかしながら、多くの身体運動機に関して知られているように、身体に振動を与えるだけの単機能とされた運動機は、遊戯感覚やスポーツ感覚が乏しいため、ユーザが暫く使用するうちに飽きてしまう傾向がある。
【０００７】
本発明は、このような問題に鑑み、美容用ないし健康用の振動式身体運動機に関して、付属品としての乗馬アタッチメントを提供し、これにより、ユーザに対して、美容及び健康のための振動運動だけでなく、乗馬に倣う動きを与え、遊戯感覚やスポーツ感覚に富んだ身体のバランス感覚をエクササイズすることができるようにした身体運動機の提供を課題としている。
【課題を解決するための手段】
【０００８】
そこで、本発明が手段として構成したところは、設置体と、該設置体の上側に配置された床部材を含む振動体と、該振動体に上下向き振動と横向き振動のうち少なくとも一方の振動を行わせる駆動機構を備え、床部材に搭乗したユーザの身体に振動運動を与えるように構成して成る身体運動機において、前記床部材の上側に着脱自在に装着される乗馬アタッチメントが提供され、前記乗馬アタッチメントは、支持フレームと、該支持フレームに設けられたサドルと、前記支持フレームと前記振動体の相互に設けられた着脱機構により構成されており、前記振動体に装着されたアタッチメントを振動させることにより、前記サドルに搭乗したユーザの全身に乗馬運動を与えるように構成されて成る点にある。
【０００９】
好ましくは、前記横向き振動方向を前後方向として、床部材の前後方向中央よりも後方寄り位置にサドルが配置されており、該サドルに対してユーザが前向き姿勢で搭乗するように構成されている。
【００１０】
更に好ましくは、前記支持フレームには、床部材の前後方向中央よりも前方寄り位置にユーザの手指により握持するグリップが設けられている。
【００１１】
本発明の好ましい実施形態において、前記着脱機構は、前記振動体に固設した連結手段に対して、床部材に形成した開口部を介して前記支持フレームの脚部に設けた装着手段を着脱自在に固着するように構成され、前記乗馬アタッチメントを床部材から取外したとき、前記開口部を閉鎖するカバー部材が設けられており、該カバー部材に設けた固着手段を前記連結手段に着脱自在に固着するように構成されている。
【００１２】
更に、前記支持フレームは、振動体の振動をサドルに伝達する伝達経路において、弾性変形することにより振幅を増幅させる増幅手段を設けることが好ましい。
【発明の効果】
【００１３】
本発明によれば、身体運動機１の振動体４に着脱自在に装着する乗馬アタッチメント１４が提供される。従って、付属品としての乗馬アタッチメント１４を振動体４に装着するだけで、簡単に乗馬運動機としての使用が可能になる。即ち、振動体４と共に上下向き振動Ｘと横向き振動Ｙの何れか一方又は両方の振動をサドル１６に伝達するので、サドル１６に搭乗したユーザの全身に乗馬に倣う動きを与えることにより、遊戯感覚やスポーツ感覚に富んだ身体のバランス感覚をエクササイズする乗馬運動を行うことができるという効果がある。
【００１４】
そして、乗馬アタッチメント１４を着脱自在に構成しているので、身体運動機１それ自体は、該アタッチメント１４を取外すだけで、従来のような床部材２ａに搭乗したユーザの身体に振動を与える美容用ないし健康用の振動式身体運動機として使用することができるので、経済的である。
【図面の簡単な説明】
【００１５】
【図１】身体運動機の１例に関して、振動式身体運動機により行う美容運動の１例を示斜視図である。
【図２】振動式身体運動機を分解した状態として示す斜視図である。
【図３】振動式身体運動機に関して、設置体と振動体と駆動機構が相互に組付けられた状態を示す斜視図である。
【図４】振動式身体運動機の作用に関して、（Ａ）は上下向き振動発生時の状態を示す断面図であり、（Ｂ）は横向き振動発生時の状態を示す断面図である。
【図５】本発明の１実施形態に係る乗馬アタッチメントを装着した身体運動機により行う乗馬運動の１例を示す斜視図である。
【図６】身体運動機と、乗馬アタッチメントと、カバー部材を分解した状態として示す斜視図である。
【図７】乗馬アタッチメントの１実施形態に関して、（Ａ）は支持フレームとサドルを分離すると共に支持フレームを折畳んだ状態として示す斜視図であり、（Ｂ）は展開した支持フレームにサドルを搭載した状態として示す斜視図である。
【図８】乗馬アタッチメントを装着した状態の身体運動機を示す断面図である。
【図９】振動体に固設した連結手段に対して支持フレームの脚部に設けた装着手段を着脱する方法を示す断面図である。
【図１０】振動体に固設した連結手段に対してカバー部材の固着手段を着脱する方法を示す断面図である。
【図１１】支持フレームに振幅の増幅手段を設けた別の実施形態に係る乗馬アタッチメントを装着した身体運動機を示す斜視図である。
【図１２】増幅手段の１例と作用を示す断面図である。
【発明を実施するための形態】
【００１６】
以下図面に基づいて本発明の好ましい実施形態を詳述する。
【００１７】
（振動式身体運動機）
図１ないし図４は、上述の従来技術と同様の美容用ないし健康用の振動式身体運動機（以下、単に「運動機１」という。）を示しており、図１に示すように、上部カバーケース２の上面部を構成する床部材２ａの上にユーザが搭乗し、床部材２ａにより上下向き振動Ｘと、横向き振動Ｙを実行することにより、ユーザの身体に振動を与える。これにより、脂肪低下や血行の促進等を図り、美容ないし健康に資することができる。
【００１８】
図２ないし図４に示すように、運動機１は、設置体３と、該設置体３の上側に配置される前記床部材２ａを含む振動体４と、該振動体４に上下向き振動を行わせる第１駆動機構５と、横向き振動を行わせる第２駆動機構６を備えている。
【００１９】
設置体３は、矩形枠フレーム３ａに台板３ｂを敷設しており、該台板３ｂに前記駆動機構５、６が設置される。尚、設置体３は、底部カバーケース７に収納されるように構成することが好ましい。
【００２０】
振動体４は、矩形枠フレーム４ａから成り、中央部の幅方向両側に位置して枢支ブラケット８、８を垂設している。矩形枠フレーム４ａは、上方から前記上部カバーケース２により被われる。上部カバーケース２は、矩形枠フレーム４ａに連結片９（図８参照）を介して連結一体化される。従って、本明細書において、振動体４は、上部カバーケース２により形成された床部材２ａを含んで構成されており、矩形枠フレーム４ａや床部材２ａは、振動体４の一部を構成している。上部カバーケース２の周壁は、前記底部カバーケース７の周壁の外側の周囲に隙間を介して外嵌される。尚、図示省略しているが、前記隙間は、フレキシブルなシートにより閉鎖することが好ましい。
【００２１】
前記振動体４は、前記設置体３の上方位置に、該設置体３に立設した一対の支持リンクロッド１０、１０を振動体４の前記枢支ブラケット８、８に軸支された軸部材１１に連結することにより、該軸部材１１を中心として上下方向に往復動可能に、かつ、前記支持リンクロッド１０、１０の揺動を介して横方向に往復動可能となるように支持されている。
【００２２】
前記第１駆動機構５は、電動モータから成る第１駆動源５ａにより、複数のプーリ等を含む伝動手段により構成された減速機構５ｂを介して駆動回転される第１駆動軸５ｃと、該第１駆動軸５ｃの回転を上下運動に変換する第１偏心カム５ｄにより構成されている。
【００２３】
前記第２駆動機構６は、電動モータから成る第２駆動源６ａにより、複数のプーリ等を含む伝動手段により構成された減速機構６ｂを介して駆動回転される第２駆動軸６ｃと、該第２駆動軸６ｃの回転を左右運動に変換する第２偏心カム６ｄにより構成されている。
【００２４】
この際、電動モータの電源は、運動機１の本体に設けたスイッチを内蔵するコントロールボード１２や、別体のリモートコントローラ１３（図５参照）により、第１駆動源５ａと第２駆動源６ａを個別に駆動／停止するＯＮ／ＯＦＦと、第１駆動源５ａと第２駆動源６ａの両方を同時に駆動／停止するＯＮ／ＯＦＦを可能とするように構成されている。尚、リーモートコントローラ１３は、図示のように、リストバンドでユーザの手首に装着可能となるように構成することが好ましい。
【００２５】
しかしながら、図示のように２個の電動モータを設けた構成とする他に、図示省略しているが、１個の電動モータから成る１個の駆動源だけを設け、該駆動源と、第１駆動機構５及び第２駆動機構６の間に、動力伝達経路を構成すると共に、動力伝達経路の接続と断続を可能とする電磁クラッチ等のクラッチ手段を設け、各クラッチ手段を電気制御するように構成しても良く、これにより、第１駆動機構５と第２駆動機構６の個別選択的な駆動及び停止と、両者同時の駆動及び停止を可能にするように構成しても良い。
【００２６】
（上下向き振動）
前記第１駆動機構５の第１偏心カム５ｄは、振動体４を構成する矩形枠フレーム４ａから垂設された第１アーム５ｅに下方から連結されている。そこで、図４（Ａ）に示すように、スイッチ操作により、第１駆動源５ａを作動させ、これにより回転駆動される第１駆動軸５ｃにより第１偏心カム５ｄを回転すると、振動体４は、軸部材１１を中心としてシーソー回動し、両端部が上下向き振動Ｘを行う。
【００２７】
このとき、第２駆動機構６は、休止状態とされており、第２アーム６ｅは、第２偏心カム６ｄを正逆回動させながら、上下向き振動Ｘに追従して上下動する。
【００２８】
（横向き振動）
前記第２駆動機構６の第２偏心カム５ｄは、振動体４を構成する矩形枠フレーム４ａから垂設された第２アーム６ｅに横方向から連結されている。そこで、図４（Ｂ）に示すように、スイッチ操作により、第２駆動源６ａを作動させ、これにより回転駆動される第２駆動軸６ｃにより第２偏心カム６ｄを回転すると、振動体４は、支持リンクロッド１０をリンクピン１０ａの廻りに揺動させ、全体が横向き振動Ｙを行う。
【００２９】
このとき、第１駆動機構６は、休止状態とされており、第１アーム５ｅは、第１偏心カム５ｄを正逆回動させながら、横向き振動Ｙに追従して横向きに往復動する。
【００３０】
（複合運動）
図示省略しているが、スイッチ操作により、第１駆動源５ａと第２駆動源６ａを同時に作動させると、振動体４は、上下向き振動Ｘと横向き振動Ｙの両方の振動を同時に行うことになる。
【００３１】
（乗馬アタッチメント）
上記のような運動機１に対して、本発明によれば、床部材２ａの上側に着脱自在に装着される乗馬アタッチメント１４が提供されている。
【００３２】
図５ないし図１０は、乗馬アタッチメント１４（以下、単に「アタッチメント１４」という。）の１実施形態を示している。
【００３３】
アタッチメント１４は、支持フレーム１５と、該支持フレーム１５に設けられたサドル１６と、前記支持フレーム１５と前記振動体４の相互に設けられた着脱機構１７により構成されており、図５に示すように、運動機１の振動体４に装着されたアタッチメント１４を振動させ、振動体４と共に上下向き振動Ｘと横向き振動Ｙの何れか一方又は両方の振動をサドル１６に与えることにより、サドル１６に搭乗したユーザの全身に乗馬に倣う動きを与え、遊戯感覚やスポーツ感覚に富んだ身体のバランス感覚をエクササイズすることができるように構成されている。
【００３４】
この際、前記横向き振動方向Ｙを前後方向として、床部材２ａの前後方向中央よりも後方寄りに位置する支持フレーム１５の個所にサドル１６を配置し、該サドル１６に対してユーザが前向き姿勢で搭乗するように構成することが好ましい。
【００３５】
また、床部材２ａの前後方向中央よりも前方寄りに位置する支持フレーム１５の個所には、ユーザが手綱として握持することができるグリップ１８を設けることが好ましい。
【００３６】
（支持フレーム）
前記支持フレーム１５は、図示実施形態の場合、図７に示すように、左右一対のフレーム部材１９、１９を相互に支持部材２０とグリップ１８で連結することにより構成されている。
【００３７】
前記フレーム部材１９は、断面円形の鋼管を折曲することにより形成され、前後方向に延びる桟部１９ａの両端部に下向きの脚部１９ｂ、１９ｂを備えている。
【００３８】
前記支持部材２０は、図例の場合、サドル１６を搭載するためのマウントとしての機能を兼備しており、該支持部材２０の両端に固設された筒部材２０ａを前記フレーム部材１９における桟部１９ａの後方寄りの個所に回動自在に外挿し、ロックボルト等のロック手段２１により回動不能にロック可能とするように構成されている。尚、筒部材２０ａは、桟部１９ａに対して、回動自在であるが摺動不能に外挿されていることが好ましい。
【００３９】
前記グリップ１８は、ほぼ門形に折曲形成され、両端に固設された筒部材１８ａを前記フレーム部材１９における桟部１９ａの前方寄りの個所に回動自在に外挿し、ロックボルト等のロック手段２２により回動不能にロック可能とするように構成されている。尚、筒部材１８ａは、桟部１９ａに対して、回動自在であるが摺動不能に外挿されていることが好ましい。
【００４０】
このような構成とすることにより、アタッチメント１４の不使用時において、支持フレーム１５は、ロック手段２１、２２のロックを解除すれば、図７（Ａ）に示すように、左右一対のフレーム部材１９、１９を前記筒部材２０ａ、１８ａの内部で回動することができるので、相互に脚部１９ｂ、１９ｂを対向させるように折畳むことが可能となる。この際、サドル１６は、前記支持部材２０に対して着脱可能とされていることが好ましく、これにより、コンパクトな状態での保管や梱包を可能にする。
【００４１】
（着脱機構）
前記着脱機構１７は、振動体４に固設した連結手段２３と、支持フレーム１５におけるフレーム部材１９の脚部１９ａに設けた装着手段２４により構成されており、床部材２ａに開設した開口部２５を介して、前記連結手段２３に対して前記装着手段２４を着脱自在に固着するように構成されている。
【００４２】
図示実施形態の場合、図６、図８及び図９に示すように、前記連結手段２３は、振動体４を構成する矩形枠フレーム４ａに座金具２６を介して立設された雄ネジ軸２７により構成され、前記装着手段２４は、前記脚部１９ａの下端に回動自在に設けられた雌ネジ筒２８により構成されている。
【００４３】
そこで、装着手段２４を構成する雌ネジ筒２８を前記開口部２５から雄ネジ軸２７に向けて挿入しながら回転すると、該雌ネジ筒２８が雄ネジ軸２７に螺進して螺着され、これにより、脚部１９ａが矩形枠フレーム４ａに固着される。
【００４４】
この状態から脚部１９ａを取外すときは、雌ネジ筒２８を逆転させることにより雄ネジ軸２７から螺退させることにより前記開口部２５から脱出させれば良い。
【００４５】
（カバー部材）
ところで、運動機１は、該アタッチメント１４を取外すことにより、従来と同様の床部材２ａに搭乗したユーザの身体に振動を与える美容用ないし健康用の振動式身体運動機として使用することができるが、このときは、図１及び図１０に示すように、前記開口部２５をカバー部材２９により閉鎖するように構成することが好ましい。
【００４６】
カバー部材２９は、開口部２５を被覆する頭部フランジ３０と、前記連結手段２３に着脱自在に固着される固着手段３１を備えており、該固着手段３１は、連結手段２３を構成する雄ネジ軸２７に着脱自在に螺着される雌ネジ筒３２により構成されている。
【００４７】
従って、固着手段３１を構成する雌ネジ筒３２を前記開口部２５から雄ネジ軸２７に向けて挿入しながら回転すると、該雌ネジ筒３２が雄ネジ軸２７に螺着され、これにより、頭部フランジ３０が開口部２５を被う。この状態からカバー部材２９を取外すときは、雌ネジ筒３２を逆転させることにより雄ネジ軸２７から螺退させ、開口部２５から脱出させれば良い。
【００４８】
（振動の増幅手段を設けた別の実施形態）
図１１及び図１２は、乗馬アタッチメント１４の別の実施形態を示しており、支持フレーム１５は、振動体４から受けた振動をサドル１６に伝達する伝達経路において、弾性変形することにより振幅を増幅させる増幅手段３２を設けている。
【００４９】
図示実施形態の場合、支持フレーム１５を構成するフレーム部材１９の脚部１９ａを上下に分割することにより上下分割片３３、３４を構成し、その間に増幅手段３２が介装されており、図１２に示すように、振動体４の横向き振動Ｙを受けたときに弾性変形と弾性復元を繰り返すことにより、上方の桟部１９ａを同方向ＹＬに大きく揺動させる。これにより、サドル１６に搭乗したユーザは、前後方向に大きく揺すられ、激しい乗馬運動が与えられる。
【００５０】
図例の場合、増幅手段３２は、上下分割片３３、３４を連結するコイルスプリングから成る弾性部材３５により構成され、周囲をフレキシブルチューブから成るカバー３６により被覆されているが、必ずしも、このような構成に限定されるものではない。
【符号の説明】
【００５１】
１  身体運動機
２  上部カバーケース
２ａ  床部材
３  設置体
３ａ  矩形枠フレーム
４  振動体
４ａ  矩形枠フレーム
５  第１駆動機構
５ａ  第１駆動源
５ｂ  減速機構
５ｃ  第１駆動軸
５ｄ  第１偏心カム
５ｅ  第１アーム
６  第２駆動機構
６ａ  第２駆動源
６ｂ  減速機構
６ｃ  第２駆動軸
６ｄ  第２偏心カム
６ｅ  第２アーム
７  底部カバーケース
８  枢支ブラケット
９  連結片
１０  支持リンクロッド
１０ａ  リンクピン
１１  軸部材
１２  コントロールボード
１３  リモートコントローラ
１４  乗馬アタッチメント
１５  支持フレーム
１６  サドル
１７  着脱機構
１８  グリップ
１８ａ  筒部材
１９  フレーム部材
１９ａ  桟部
１９ｂ  脚部
２０  支持部材
２０ａ  筒部材
２１、２２  ロック手段
２３  連結手段
２４  装着手段
２５  開口部
２６  座金具
２７  雄ネジ軸
２８  雌ネジ筒
２９  カバー部材
３０  頭部フランジ
３１  固着手段
３２  増幅手段
３３、３４  分割片
３５  弾性部材
３６  カバー
【図１】
2020141889.tif 000003
【図２】
2020141889.tif 000004
【図３】
2020141889.tif 000005
【図４】
2020141889.tif 000006
【図５】
2020141889.tif 000007
【図６】
2020141889.tif 000008
【図７】
2020141889.tif 000009
【図８】
2020141889.tif 000010
【図９】
2020141889.tif 000011
【図１０】
2020141889.tif 000012
【図１１】
2020141889.tif 000013
【図１２】
2020141889.tif 000014